【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
動画像ストリームを外部機器から取得する取得手段と、
前記取得手段により取得された動画像ストリームをファイルとして記録媒体に記録する記録手段と、
前記取得手段によって取得された動画像ストリームが所定のフォーマットではないと判別された場合に前記記録手段による動画像ストリームの記録動作を一時停止状態にすると共に、前記取得手段によって取得された動画像ストリームが前記所定のフォーマットであると判断された場合に前記一時停止状態にある記録手段の記録動作を再開させ、前記一時停止状態となる前に記録した動画像ストリームと前記記録動作の再開後に記録した動画像ストリームとを一つのファイルとして記録するよう、前記記録手段を制御する制御手段とを備えることを特徴とする画像記録装置。
【請求項２】
前記記録手段は、前記動画像ストリームの記録を再開する際に、前記一時停止状態となる前に記録した動画像ストリームと記録再開後の動画像ストリームのつなぎ目に、前記動画像ストリームの連続性を保つための補間データを記録することを特徴とする請求項１に記載の画像記録装置。
【請求項３】
外部の再生装置により再生された動画像ストリームを取得する取得手段と、
前記取得手段により取得された動画像ストリームをファイルとして記録媒体に記録する記録手段と、
前記記録手段による通常再生の動画像ストリームの記録中に前記取得手段が取得した動画像ストリームがサーチ再生の動画像ストリームに切り替わった場合に、前記記録手段による動画像ストリームの記録動作を記録一時停止状態にすると共に、前記記録一時停止状態において前記取得手段が取得した動画像ストリームが通常再生の動画像ストリームに切り替わると前記記録一時停止状態にある記録手段の記録動作を再開させ、前記記録一時停止状態となる前に記録した動画像ストリームと前記記録動作の再開後に記録した動画像ストリームとを一つのファイルとして記録するよう、前記記録手段を制御する制御手段とを備えることを特徴とする画像記録装置。
【請求項４】
動画像ストリームを外部機器から取得する取得工程と、
前記取得工程において取得された動画像ストリームをファイルとして記録媒体に記録する記録工程と、
前記取得工程において取得された動画像ストリームが所定のフォーマットではないと判別された場合に前記記録工程による動画像ストリームの記録動作を一時停止状態にすると共に、前記取得工程において取得された動画像ストリームが前記所定のフォーマットであると判断された場合に前記一時停止状態にある記録工程の記録動作を再開させ、前記一時停止状態となる前に記録した動画像ストリームと前記記録動作の再開後に記録した動画像ストリームとを一つのファイルとして記録するよう、前記記録工程を制御する制御工程とを備えることを特徴とする画像記録方法。
【請求項５】
外部の再生装置により再生された動画像ストリームを取得する取得工程と、
前記取得工程において取得された動画像ストリームをファイルとして記録媒体に記録する記録工程と、
前記記録工程による通常再生の動画像ストリームの記録中に前記取得工程において取得した動画像ストリームがサーチ再生の動画像ストリームに切り替わった場合に、前記記録工程による動画像ストリームの記録動作を記録一時停止状態にすると共に、前記記録一時停止状態において前記取得工程において取得した動画像ストリームが通常再生の動画像ストリームに切り替わると前記記録一時停止状態にある記録工程の記録動作を再開させ、前記記録一時停止状態となる前に記録した動画像ストリームと前記記録動作の再開後に記録した動画像ストリームとを一つのファイルとして記録するよう、前記記録工程を制御する制御工程とを備えることを特徴とする画像記録方法。
【請求項６】
動画像ストリームを外部機器から取得する取得工程と、
前記取得工程において取得された動画像ストリームをファイルとして記録媒体に記録する記録工程と、
前記取得工程において取得された動画像ストリームが所定のフォーマットではないと判別された場合に前記記録工程による動画像ストリームの記録動作を一時停止状態にすると共に、前記取得工程において取得された動画像ストリームが前記所定のフォーマットであると判断された場合に前記一時停止状態にある記録工程の記録動作を再開させ、前記一時停止状態となる前に記録した動画像ストリームと前記記録動作の再開後に記録した動画像ストリームとを一つのファイルとして記録するよう、前記記録工程を制御する制御工程とをコンピュータに実行させることを特徴とするコンピュータプログラム。
【請求項７】
外部の再生装置により再生された動画像ストリームを取得する取得工程と、
前記取得工程において取得された動画像ストリームをファイルとして記録媒体に記録する記録工程と、
前記記録工程による通常再生の動画像ストリームの記録中に前記取得工程において取得した動画像ストリームがサーチ再生の動画像ストリームに切り替わった場合に、前記記録工程による動画像ストリームの記録動作を記録一時停止状態にすると共に、前記記録一時停止状態において前記取得工程において取得した動画像ストリームが通常再生の動画像ストリームに切り替わると前記記録一時停止状態にある記録工程の記録動作を再開させ、前記記録一時停止状態となる前に記録した動画像ストリームと前記記録動作の再開後に記録した動画像ストリームとを一つのファイルとして記録するよう、前記記録工程を制御する制御工程とをコンピュータに実行させることを特徴とするコンピュータプログラム。
【手続補正２】
【補正対象書類名】明細書
【補正対象項目名】００１０
【補正方法】変更
【補正の内容】
【００１０】
本発明の画像記録装置は、動画像ストリームを外部機器から取得する取得手段と、前記取得手段により取得された動画像ストリームをファイルとして記録媒体に記録する記録手段と、前記取得手段によって取得された動画像ストリームが所定のフォーマットではないと判別された場合に前記記録手段による動画像ストリームの記録動作を一時停止状態にすると共に、前記取得手段によって取得された動画像ストリームが前記所定のフォーマットであると判断された場合に前記一時停止状態にある記録手段の記録動作を再開させ、前記一時停止状態となる前に記録した動画像ストリームと前記記録動作の再開後に記録した動画像ストリームとを一つのファイルとして記録するよう、前記記録手段を制御する制御手段とを備えることを特徴とする。
また、本発明の画像記録装置の他の特徴とするところは、外部の再生装置により再生された動画像ストリームを取得する取得手段と、前記取得手段により取得された動画像ストリームをファイルとして記録媒体に記録する記録手段と、前記記録手段による通常再生の動画像ストリームの記録中に前記取得手段が取得した動画像ストリームがサーチ再生の動画像ストリームに切り替わった場合に、前記記録手段による動画像ストリームの記録動作を記録一時停止状態にすると共に、前記記録一時停止状態において前記取得手段が取得した動画像ストリームが通常再生の動画像ストリームに切り替わると前記記録一時停止状態にある記録手段の記録動作を再開させ、前記記録一時停止状態となる前に記録した動画像ストリームと前記記録動作の再開後に記録した動画像ストリームとを一つのファイルとして記録するよう、前記記録手段を制御する制御手段とを備えることを特徴とする。
【手続補正３】
【補正対象書類名】明細書
【補正対象項目名】００１１
【補正方法】変更
【補正の内容】
【００１１】
本発明の画像記録方法は、動画像ストリームを外部機器から取得する取得工程と、
前記取得工程において取得された動画像ストリームをファイルとして記録媒体に記録する記録工程と、前記取得工程において取得された動画像ストリームが所定のフォーマットではないと判別された場合に前記記録工程による動画像ストリームの記録動作を一時停止状態にすると共に、前記取得工程において取得された動画像ストリームが前記所定のフォーマットであると判断された場合に前記一時停止状態にある記録工程の記録動作を再開させ、前記一時停止状態となる前に記録した動画像ストリームと前記記録動作の再開後に記録した動画像ストリームとを一つのファイルとして記録するよう、前記記録工程を制御する制御工程とを備えることを特徴とする。
また、本発明の画像記録方法の他の特徴とするところは、外部の再生装置により再生された動画像ストリームを取得する取得工程と、前記取得工程において取得された動画像ストリームをファイルとして記録媒体に記録する記録工程と、前記記録工程による通常再生の動画像ストリームの記録中に前記取得工程において取得した動画像ストリームがサーチ再生の動画像ストリームに切り替わった場合に、前記記録工程による動画像ストリームの記録動作を記録一時停止状態にすると共に、前記記録一時停止状態において前記取得工程において取得した動画像ストリームが通常再生の動画像ストリームに切り替わると前記記録一時停止状態にある記録工程の記録動作を再開させ、前記記録一時停止状態となる前に記録した動画像ストリームと前記記録動作の再開後に記録した動画像ストリームとを一つのファイルとして記録するよう、前記記録工程を制御する制御工程とを備えることを特徴とする。
【手続補正４】
【補正対象書類名】明細書
【補正対象項目名】００１２
【補正方法】変更
【補正の内容】
【００１２】
本発明のコンピュータプログラムは、動画像ストリームを外部機器から取得する取得工程と、前記取得工程において取得された動画像ストリームをファイルとして記録媒体に記録する記録工程と、前記取得工程において取得された動画像ストリームが所定のフォーマットではないと判別された場合に前記記録工程による動画像ストリームの記録動作を一時停止状態にすると共に、前記取得工程において取得された動画像ストリームが前記所定のフォーマットであると判断された場合に前記一時停止状態にある記録工程の記録動作を再開させ、前記一時停止状態となる前に記録した動画像ストリームと前記記録動作の再開後に記録した動画像ストリームとを一つのファイルとして記録するよう、前記記録工程を制御する制御工程とをコンピュータに実行させることを特徴とする。
また、本発明のコンピュータプログラムの他の特徴とするところは、外部の再生装置により再生された動画像ストリームを取得する取得工程と、前記取得工程において取得された動画像ストリームをファイルとして記録媒体に記録する記録工程と、前記記録工程による通常再生の動画像ストリームの記録中に前記取得工程において取得した動画像ストリームがサーチ再生の動画像ストリームに切り替わった場合に、前記記録工程による動画像ストリームの記録動作を記録一時停止状態にすると共に、前記記録一時停止状態において前記取得工程において取得した動画像ストリームが通常再生の動画像ストリームに切り替わると前記記録一時停止状態にある記録工程の記録動作を再開させ、前記記録一時停止状態となる前に記録した動画像ストリームと前記記録動作の再開後に記録した動画像ストリームとを一つのファイルとして記録するよう、前記記録工程を制御する制御工程とをコンピュータに実行させることを特徴とする。
【手続補正５】
【補正対象書類名】明細書
【補正対象項目名】００１３
【補正方法】削除
【補正の内容】